(57)【要約】【課題】安定して固定できるファイバープローブを提供する。【解決手段】分光光度計に内設された光源が発光する近赤外線を試料Ｓに照射するための導光路を形成する光コネクタ２付き光ファイバーケーブル３と、前記試料Ｓからの反射光を分光光度計に入射するための導光路を形成する光コネクタ５付き光ファイバーケーブル４とを先端側で集束してプローブ６を構成するとともに、このプローブ６の周辺に外部断面形状が多角柱形のハンドル部９を形成し、かつ、このハンドル部９の一平面または複数平面上にマグネットシート１０を固着する。【選択図】          図１
0003106564.tif 000002
【実用新案登録請求の範囲】
【請求項１】
分光光度計に内設された光源が発光する光線を受光して被測定試料に照射する光ファイバーケーブルと、被測定試料からの反射光を分光光度計に内設された光検出器に入射する光ファイバーケーブルを備えるとともに、両光ファイバーケーブルの先端側を集束して先端部を形成し、その近傍に先端部を位置決めするためのハンドル部を形成したファイバープローブにおいて、ファイバープローブのハンドル部の外部断面形状を多角形の非円筒形とし、かつ、ハンドル部の一平面部または複数平面部上にマグネットシートを固着したことを特徴とするファイバープローブ。
【考案の詳細な説明】
【技術分野】
【０００１】
本考案は分光光度計に接続されて使用されるファイバープローブに関し、特に机上からの転がり落ちを防止したファイバープローブに関する。
【背景技術】
【０００２】
従来、粉末試料や溶液などの被測定試料（以後、試料と略称する）にプローブを挿入して直接的に近赤外分光分析により光学的物質特性の測定を行なう場合、分光光度計内の光源が発光する近赤外線を導光し、試料にこの光線を照射するとともに、試料からの反射光を導光し、分光光度計にこの光線を入射するためのファイバープローブが使用されている。
特に、ファイバープローブを持って移動させながら試料の測定を行なう場合には、図４のファイバープローブ１Ｃの正面図（ａ）及び側面図（ｂ）に示すようなファイバープローブ１Ｃが分光光度計１１と共に使用されている。このようなファイバープローブ１Ｃは、試料に近赤外線を照射するための光ファイバーケーブル３と、試料からの反射光線を分光光度計１１に入射するための光ファイバーケーブル４と、両光ファイバーケーブル３、４のバンドルファイバ６ａを集束したプローブ６を備えるとともに、プローブ６の先端位置を決めるための持ち手として使用する円筒形のハンドル部９Ｃがプローブ６の後方に形成されている。この円筒形のハンドル部９Ｃの形状は、加工性がよく、かつ汎用性の高い素材が使用できるという利点から採用されているものである。
【特許文献１】特開平７−５１０２号公報
【特許文献２】特開平７−４３２９１号公報
【考案の開示】
【考案が解決しようとする課題】
【０００３】
従来のファイバープローブ１Ｃは、プローブ６の先端近傍に円筒形のハンドル部９Ｃが形成されているが、このハンドル部９Ｃの形状が円筒形であると机の上に置いた場合転がりやすく、最悪の場合、机から落下して破損させることがある。これを防止するには、ファイバープローブ１Ｃを差し込んで置くための専用のホルダーを用意しなければならない。
本考案は、このような状況に鑑みてなされたものであって、専用のホルダーを使用しなくても、机上から転がり落ちることのないファイバープローブを提供することを目的とするものである。
【課題を解決するための手段】
【０００４】
上記の目的を達成するため、本考案のファイバープローブは、分光光度計に内設された光源が発光する光線を受光して被測定試料に照射する光ファイバーケーブルと、被測定試料からの反射光を分光光度計に内設された光検出器に入射する光ファイバーケーブルを備えるとともに、両光ファイバーケーブルの先端側を集束して先端部を形成し、その近傍に先端部を位置決めするためのハンドル部を形成したファイバープローブにおいて、ファイバープローブのハンドル部の外部断面形状を多角形の非円筒形とし、かつ、ハンドル部の一平面部または複数平面部上にマグネットシートを固着した。
本考案のファイバープローブは、上記のように構成されており、机上に置いても多角柱により形成されている平面部と机上面とが密接するので転がりが防止でき、また、マグネットシートが固着されているので、分光光度計の筐体面が鉄等の磁性材料で作られている場合には、マグネットシートの磁力を利用してファイバープローブのハンドル部をこの匡体面に係着させることができる。
【考案の効果】
【０００５】
本考案のファイバープローブは、持ち手となるハンドル部に形成された平面部が机上面に置かれて密接するので、転がり落ちが無くなる。また、ハンドル部にはマグネットシートが固着されているので、分光光度計の筐体が磁性材料の板金でできている場合は筐体表面にハンドル部を固定させることができる。また、ハンドル部が多角形なので鉛筆を持つような感覚で持つことができ使い易さが向上する。
【考案を実施するための最良の形態】
【０００６】
本考案によるファイバープローブを図面を参照しながら説明する。図１は、本考案の一実施例によるファイバープローブ１の構成を示す斜視図である。本ファイバープローブ１は、分光光度計に内設されたタングステン・ヨウ素ランプなどの近赤外線を発光する光源（図示省略）からの光線を受光する光コネクタ２と、この光コネクタ２に接続され、受光した光線を試料Ｓに照射するための導光路がバンドルファイバで構成された光ファイバーケーブル３と、前記試料Ｓから反射された光線の導光路が同じくバンドルファイバで構成された光ファイバーケーブル４と、この光ファイバーケーブル４に接続され、受光した反射光線を分光光度計に内設された光検出器（図示省略）に入射するための光コネクタ５と、前記近赤外線照射用の光ファイバーケーブル３と反射光受光用の光ファイバーケーブル４の各先端側のバンドルファイバ６ａをＳＵＳ筒体７に集束して固定化したプローブ６と、このプローブ６の周辺部にアルミニューム材で囲むように形成した四角柱のハンドル部９と、このハンドル部９の一平面または複数平面上に接着剤で固着したマグネットシート１０から構成されている。
【０００７】
前記ファイバープローブ１のハンドル部９の外形は四角柱を成しているので、ファイバープローブ１を机上においた場合、ハンドル部９のいずれかの平面と机上面とが密接するので、机上面を転がることがなくなり、机上面が水平面あるいは若干の傾きがある場合でも、机上からの滑り落ちや転がり落ちが防止される。また、無意識にファイバープローブ１に触れたり、机に衝撃を与えた場合でもファイバープローブ１が転がり出すことが無くなり安心して取り扱うことができる。なお、ハンドル部９の表面を粗面仕上げすることにより、机上面に対するファイバープローブ１の不滑性をより強化することができる。
【０００８】
そして前記ファイバープローブ１は、さらにハンドル部９の平面部上にマグネットシート１０を固着しているので、図２に示すように、このマグネットシート１０の外面を分光光度計１１の筐体面に磁力により吸着させることにより、ファイバープローブ１を筐体面に固定させることができる。特に、机上面での空きスペースが少ない場合には、この固定法が効果的に利用できる。なお、ハンドル部９に固着したマグネットシート１０の外面に吸着面であることを示すマークを付したり、他の部分との配色を変えたりすることにより、マグネットシート１０が付着されている面であることが容易に確認できる。
【０００９】
前記分光光度計１１（図２に示す）に接続されたファイバープローブ１のハンドル部９を持って、その先端部を図１に示すように試料Ｓ近傍に近づけると、分光光度計１１内の近赤外線光源が発生する近赤外線は、光コネクタ２を介して光ファイバーケーブル３に導入されて、プローブ６に伝達される。この近赤外線光は、試料Ｓに照射され、その反射光は、光ファイバーケーブル４に導入され、光コネクタ５を介して分光光度計１１内の光検出器に入光され、内部演算装置により各波長毎にその光強度が計測され、スペクトル図などが得られる。
【００１０】
前記ハンドル部９には、四角柱の外形が用いられているが、これに限定されず平面部を有する他の多角柱形を用いることができる。図３は、ハンドル部９の変形例を示したもので、図３（ａ）はハンドル部９の形状を三角柱形のハンドル部９Ａにした場合の机上面おけるファイバープローブ１Ａの正面図を示したもので、図３（ｂ）はハンドル部９の形状を六角柱形のハンドル部９Ｂにした場合の机上面おけるファイバープローブ１Ｂの正面図を示したものである。
【産業上の利用可能性】
【００１１】
本考案は分光光度計に接続されて使用されるファイバープローブに用いられる。
【図面の簡単な説明】
【００１２】
【図１】本考案によるファイバープローブ１の一実施例を示す斜視図である。
【図２】分光光度計に固定されたファイバープローブ１を示す図である
【図３】実施例の変形例によるファイバープローブ１Ａの正面図（ａ）とファイバープローブ１Ｂの正面図である。
【図４】従来のファイバープローブ１Ｃの正面図（ａ）と側面図（ｂ）である。
【符号の説明】
【００１３】
１  ファイバープローブ
１Ａ  ファイバープローブ
１Ｂ  ファイバープローブ
１Ｃ  ファイバープローブ
２  光コネクタ
３  光ファイバーケーブル
４  光ファイバーケーブル
５  光コネクタ
６  プローブ
６ａ  バンドルファイバ
７  ＳＵＳ筒体
９  ハンドル部
９Ａ  ハンドル部
９Ｂ  ハンドル部
９Ｃ  ハンドル部
１０  マグネットシート
１１  分光光度計
Ｓ  試料
【図１】
0003106564.tif 000003
【図２】
0003106564.tif 000004
【図３】
0003106564.tif 000005
【図４】
0003106564.tif 000006